(57)【要約】【課題】レシート発行プリンタ装置において、ジャム処理終了後にサーマルプリンタユニットをそのロックを解除して元の位置に戻す操作を、オーバーシュートを発生させずに行えるようにすることを目的とする。【解決手段】レシート発行プリンタ装置３０は、本体３１と、サーマルプリンタユニット４０と、サーマルプリンタユニット４０を、本体３１の前側の位置である稼動位置Ｐ１と、本体３１の斜め上側の位置であるジャム処理作業位置Ｐ２との間で移動するように、本体３１にチルト可能に支持する支持機構５０と、支持機構５０を本体３１にロックするロック機構６０とを有する。ロック機構６０は、支持機構５０に支持してあるロックシャフト６１と、本体３１の側板３３Ｘ１，３３Ｘ２に形成してある凹部６２Ｘ１，６２Ｘ２、６３Ｘ１，６３Ｘ２とよりなる。ロックシャフト６１が凹部６３Ｘ１，６３Ｘ２から抜け出すと、ジャム処理作業位置Ｐ２におけるロックが解除され、サーマルプリンタユニット４０は稼動位置Ｐ１に移動可能となる。【選択図】図６
2009066978.tif 000002
【特許請求の範囲】
【請求項１】
本体と、
印字を行うプリンタユニットと、
前記プリンタユニットを、稼動位置とジャム処理作業位置との間で移動するように、前記本体にチルト可能に支持する支持機構と、
前記プリンタユニットが前記稼動位置に位置した状態及びジャム処理作業位置に位置した状態で前記支持機構を前記本体に対してロックするロック機構を有するプリンタ装置であって、
前記ロック機構を、前記支持機構にロックシャフトを支持して設け、且つ、該ロックシャフトが嵌合する凹部を前記本体に形成してなる構成としたプリンタ装置。
【請求項２】
前記ロック機構は、前記ロックシャフトを前記凹部に嵌合する方向に付勢するばね部材を更に有する構成とした請求項１に記載のプリンタ装置。
【請求項３】
前記本体は、左右の側板を有し、
前記支持機構は、前記側板にまたがっており、前記側板に回動可能に支持してあるチルトアーム部材を有し、
前記ロック機構は、前記ロックシャフトが前記チルトアーム部材に支持してあり、且つ、前記凹部が前記左右の側板の端面に形成してある構成とした請求項１に記載のプリンタ装置。
【請求項４】
前記側板に、前記凹部を塞ぐように移動するスライド部材を設けた構成とした請求項３に記載のプリンタ装置。
【請求項５】
前記ロックシャフトと前記本体との間に掛けてあり、前記ロックシャフトを前記凹部に嵌合する方向に付勢すると共に、前記支持機構を、前記稼動位置に位置する前記プリンタユニットを前記ジャム処理作業位置の方向に移動させるように付勢する引っ張りコイルばねを更に有する請求項１に記載のプリンタ装置。
【発明の詳細な説明】
【技術分野】
【０００１】
本発明はプリンタ装置に係り、特に、プリンタユニットが本体にチルト可能に支持してある構成であり、レシートを発行するレシート発行プリンタ装置に関する。
【背景技術】
【０００２】
レシート発行プリンタ装置は、ＡＴＭ等の金融端末の内部に組み込まれており、ジャムが起きた場合の処理作業がし易いように設計してある。
【０００３】
図１は従来のレシート発行プリンタ装置１０の一部を示し、本体１１にチルトアーム１２が軸１３を中心に回動可能に支持してあり、プリンタユニット１４がチルトアーム１２に取り付けてあり、且つ、チルトアーム１２をロックするロック機構１５が設けてある構成である。
【０００４】
図１（Ａ）は通常の状態を示し、プリンタユニット１４は本体１１の前側に縦向きで位置しており、ロック機構１５によってロックされている。プリンタユニット１４はこの状態でロールから引き出された紙に印字を行ってレシートを発行する。
【０００５】
同図（Ｂ）はジャム処理作業の状態を示し、プリンタユニット１２は本体１１の斜め上側のチルト位置に位置しており、ロック機構１５によってロックされている。本体１１の前側が開放され、作業者は本体１１内に接近可能となり、ジャム処理作業を行う。
【０００６】
ロック機構１５は、ロックシャフト１６と、チルトアーム１２の溝部１２ａとを有し、ロックシャフト１６が本体１１の縦向きの長孔１１ａに嵌合しており、ばね１７によって引き上げられている構成である。
【０００７】
図１（Ａ）に示す通常の状態でジャムが発生した場合には、作業者は、金融端末の側板の一部を取り外して開口を形成し、最初にシャフト１６を下げてロックを解除して、プリンタユニット１４を引き上げる。プリンタユニット１４が引き上げられて所定のチルト状態となると、図１（Ｂ）に示すシャフト１６がロック可能な位置に移動し、作業者が手をプリンタユニット１４から離すと、プリンタユニット１４が少し戻されて、チルトアーム１２の溝部１２ａがシャフト１６と係合してロックされる。
【０００８】
この状態で、ジャム処理作業を行う。ジャム処理作業が完了すると、作業者は、最初に、プリンタユニット１４を少し引き上げ、その状態に保持し、次いで、シャフト１６を押し下げて、ロック解除状態とし、プリンタユニット１２を丁寧に通常の状態まで下ろす作業を行う。レシート発行プリンタ装置１０は、図１（Ａ）の通常の状態となり、レシート発行動作を再開する。
【特許文献１】特開２００２−１９９９２号公報
【発明の開示】
【発明が解決しようとする課題】
【０００９】
ジャム処理作業が完了してプリンタユニット１２を通常の位置に戻す場合には、プリンタユニット１２を一旦少し引き上げることによってオーバーシュートＡが発生し、金融端末の外形パネルはこのオーバーシュートＡを許容する外形とする必要があり、小型化を図る上で不利であった。
【００１０】
また、ジャム処理作業に際してプリンタユニット１２をチルト状態にするためには、シャフト１６を一旦少し押し下げる作業が必要となり、また、ジャム処理作業が完了してプリンタユニット１２を通常の位置に戻す場合には、プリンタユニット１２を一旦少し押し上げ、プリンタユニット１２をその状態に保持し、シャフト１６を押し下げる作業が必要となり、操作ががツウアクションとなり面倒となっていた。
【００１１】
本発明は、上記の点に鑑みてなされたプリンタ装置を提供することを目的とする。
【課題を解決するための手段】
【００１２】
本発明は、本体と、印字を行うプリンタユニットと、前記プリンタユニットを、稼動位置とジャム処理作業位置との間で移動するように、前記本体にチルト可能に支持する支持機構と、前記プリンタユニットが前記稼動位置に位置した状態及びジャム処理作業位置に位置した状態で前記支持機構を前記本体に対してロックするロック機構を有するプリンタ装置であって、
前記ロック機構を、前記支持機構にロックシャフトを支持して設け、且つ、該ロックシャフトが嵌合する凹部を前記本体に形成してなる構成としたことを特徴とする。
【発明の効果】
【００１３】
本発明によれば、ロックシャフトが支持機構に支持してあり、且つ、ロックシャフトが嵌合する凹部が本体に形成してある構成であるため、ロックシャフトが凹部から外れるとロックが解除され、よって、オーバーシュートが必要でなくなり、操作は簡単となる。
【発明を実施するための最良の形態】
【００１４】
次に本発明の実施の形態について説明する。
【実施例１】
【００１５】
図２（Ａ）及び図３は本発明の実施例1になるレシート発行プリンタ装置３０の通常の状態を示し、図２（Ｂ）及び図４はジャム処理作業時の状態を示す。レシート発行プリンタ装置３０は金融端末の内部に組み込まれて図２に示す姿勢で使用される。Ｘ１−Ｘ２は幅方向、Ｙ１−Ｙ２は長手方向、Ｚ１−Ｚ２は高さ方向である。
【００１６】
レシート発行プリンタ装置３０は、帯状の感熱紙が巻回されたロール１を収容するロール収容部３２を有する本体３１と、ロール１から引き出された感熱紙に印字を行うサーマルプリンタユニット４０と、サーマルプリンタユニット４０を、本体３１の前側の位置である稼動位置Ｐ１と、本体３１の斜め上側の位置であるジャム処理作業位置Ｐ２との間で移動するように、本体３１にチルト可能に支持する支持機構５０と、支持機構５０を本体３１にロックするロック機構６０とを有する構成である。
【００１７】
本体３１は、両側に側板３３Ｘ１，３３Ｘ２を有する。
【００１８】
サーマルプリンタユニット４０は、図４に示すように、サーマルヘッド（図示せず）を備えた本体４１に、プラテンローラ４３及びカッター４４を備えたユニット部４２が開閉可能に結合してある構成である。
【００１９】
支持機構５０は、Ｕ字形状のチルトアーム部材５１が、ピン部材５５Ｘ１、５５Ｘ２によって、本体３１に回動可能に支持してある構成である。チルトアーム部材５１は、横架部５２と、この両端側の腕部５３Ｘ１，５３Ｘ２とよりなり、腕部５３Ｘ１，５３Ｘ２１が夫々ピン部材５５Ｘ１、５５Ｘ２によって本体３１の側板３３Ｘ１，３３Ｘ２に跨がって支持してある。
【００２０】
サーマルプリンタユニット４０は、取り付け部材４５Ｘ１，４５Ｘ２によって横架部５２に取り付けてある。稼動位置Ｐ１では、サーマルプリンタユニット４０は縦向きであり、プラテンローラ４３がＺ２側に位置しており、印字動作を行う。
【００２１】
図５及び図６はロック機構６０を示す。図５は、プリンタ装置３０が図２（Ａ）及び図３に示す状態にあるときの状態を示す。図６は、プリンタ装置３０が図２（Ｂ）及び図４に示す状態にあるときのロック機構６０の状態を示す。ロック機構６０は、腕部５３Ｘ１の長孔５３Ｘ１ａと腕部５３Ｘ２の長孔５３Ｘ２ａとを貫通して腕部５３Ｘ１と腕部５３Ｘ２との間に横架してあるロックシャフト６１と、側板３３Ｘ１，３３Ｘ２のＹ１側の部分に形成してある凹部６２Ｘ１，６２Ｘ２、６３Ｘ１，６３Ｘ２と、ロックシャフト６１の両端と腕部５３Ｘ１、５３Ｘ２のラグ５３Ｘ１ｂ、５３Ｘ２ｂとの間に張ってある引っ張りコイルばね６４Ｘ１，６４Ｘ２と、ロックシャフト６１の両端に固定してあるノブ６５Ｘ１，６５Ｘ２とを有する。
【００２２】
また、ロック機構６０と関連して、側板３３Ｘ１，３３Ｘ２には、Ｙ１側に、サーマルプリンタユニット４０自体を係止する受け部６６Ｘ１，６６Ｘ２が形成してあり（図２（Ｂ）参照）、且つ、凹部６３Ｘ１，６３Ｘ２のＹ２側にＺ１方向に突き出たストッパ部６７Ｘ１，６７Ｘ２が形成してある。また、側板３３Ｘ１，３３Ｘ２は、凹部６２Ｘ１，６３Ｘ１の間、及び凹部６２Ｘ２，６３Ｘ２の間に、ピン部材５５Ｘ１、５５Ｘ２を中心とする円弧部６８Ｘ１，６８Ｘ２を有する。
【００２３】
図２（Ａ）及び図３に示すようにサーマルプリンタユニット４０が位置Ｐ１に位置するときには、図３に示すように、サーマルプリンタユニット４０自体の重力は受け部６６Ｘ１，６６Ｘ２によって受け止められている。サーマルプリンタユニット４０がそれ自体の重力に抗して位置Ｐ２の方向へ移動することは、図５及び図３に示すように、ロックシャフト６１が凹部６２Ｘ１，６２Ｘ２に嵌合していることによって制限されてロックされている。
【００２４】
図２（Ｂ）及び図４に示すようにサーマルプリンタユニット４０が位置Ｐ２に位置するときには、図６に示すように、ロックシャフト６１が凹部６３Ｘ１，６３Ｘ２に嵌合していることによってロックされている。特に、サーマルプリンタユニット４０が、図４中、位置Ｐ２よりも更に反時計方向に回動して移動することは、ロックシャフト６１がストッパ部６７Ｘ１，６７Ｘ２に係止されていることによって制限されている。
【００２５】
次に、ジャムが発生し、このジャムを解消するために、位置Ｐ１に位置しているサーマルプリンタユニット４０を位置Ｐ２に移動させる操作について説明する。
【００２６】
操作者は、右手と左手でサーマルプリンタユニット４０を掴み、掴んだ手の指でノブ６５Ｘ１，６５Ｘ２を手前に引き、両手でサーマルプリンタユニット４０を引き上げる。サーマルプリンタユニット４０はピン部材５５Ｘ１、５５Ｘ２を中心に図３中反時計方向に回動されるように移動する。引き上げる操作は、ロックシャフト６１がストッパ部６７Ｘ１，６７Ｘ２に当たってそれ以上は移動出来なくなるまで行う。
【００２７】
手の指でノブ６５Ｘ１，６５Ｘ２を手前に引くことによって、ロックシャフト６１が凹部６２Ｘ１，６２Ｘ２から抜け出し、ロックが解除される。その後は、ロックシャフト６１は円弧部６８Ｘ１，６８Ｘ２を滑って移動する。
【００２８】
サーマルプリンタユニット４０をそれ以上は移動出来なくなるまで移動させたのちに、両手をサーマルプリンタユニット４０から離すと、ロックシャフト６１が引っ張りコイルばね６４Ｘ１，６４Ｘ２のばね力によって凹部６３Ｘ１，６３Ｘ２に係合して、サーマルプリンタユニット４０は位置Ｐ２にロックされる。
【００２９】
よって、位置Ｐ１に位置しているサーマルプリンタユニット４０を位置Ｐ２に移動させる操作はワンアクションでなされ、操作性が良い。
【００３０】
また、サーマルプリンタユニット４０の移動は、それ以上は移動出来なくなるまで行えば良く、サーマルプリンタユニット４０の位置を調整する操作も必要でなく、この点でも、操作性が良い。
【００３１】
レシート発行プリンタ装置３０は、図２（Ｂ）及び図４に示すようにＹ１側が開口とされた状態となり、操作者は、必要に応じて、ユニット部４２を開いて、ジャムを直す。
【００３２】
次に、ジャムを解消する、位置Ｐ２に位置しているサーマルプリンタユニット４０をもとの位置Ｐ１に移動させる操作について説明する。
【００３３】
操作者が、右手と左手でサーマルプリンタユニット４０を掴み、掴んだ手の指でノブ６５Ｘ１，６５Ｘ２を手前に引き、両手でサーマルプリンタユニット４０をゆっくり下ろす。サーマルプリンタユニット４０はピン部材５５Ｘ１、５５Ｘ２を中心に図４中時計方向に回動されるように移動する。下ろす操作は、サーマルプリンタユニット４０自体が受け部６６Ｘ１，６６Ｘ２に載るまで行う。
【００３４】
手の指でノブ６５Ｘ１，６５Ｘ２を手前に引くことによって、ロックシャフト６１が凹部６３Ｘ１，６３Ｘ２から抜け出し、ロックが解除される。その後は、ロックシャフト６１は円弧部６８Ｘ１，６８Ｘ２を滑って移動する。
【００３５】
サーマルプリンタユニット４０を受け部６６Ｘ１，６６Ｘ２に載るまで移動させたのちに、両手をサーマルプリンタユニット４０から離すと、ロックシャフト６１が引っ張りコイルばね６４Ｘ１，６４Ｘ２のばね力によって凹部６２Ｘ１，６２Ｘ２に係合して、サーマルプリンタユニット４０は位置Ｐ１にロックされる。
【００３６】
よって、位置Ｐ２に位置しているサーマルプリンタユニット４０を位置Ｐ１に移動させる操作はワンアクションでなされ、操作性が良い。
【００３７】
また、サーマルプリンタユニット４０の移動は、それ以上は移動出来なくなるまで行えば良く、サーマルプリンタユニット４０の位置を調整する操作も必要でなく、この点でも、操作性が良い。
【００３８】
サーマルプリンタユニット４０を一旦引き上げる操作は必要でなく、オーバーシュートは発生しない。
【００３９】
レシート発行プリンタ装置３０は、図２（Ａ）及び図３に示す元の状態となり、レシート発行を再開する。
【００４０】
次に、ロック機構６０の変形例について説明する。
【００４１】
図７は第１の変形例になるロック機構６０Ａを示す。側板３３Ｘ１Ａには、３つの凹部７１，７２，７３が形成してある。ロックシャフト６１が、何れかの凹部７１，７２，７３に係合することによって、三箇所でロックされる。
【００４２】
図８は第２の変形例になるロック機構６０Ｂを示す。このロック機構６０Ｂは、上記のロック機構６０Ａに、スライダ８０が追加された構成である。スライダ８０は、側板３３Ｘ１Ａの縁に沿う縁部８１を有し、この縁部８１に一つの凹部８２が形成してある。スライダ８０を適宜スライドさせて固定し、凹部８２が例えば凹部７２と一致し、他の凹部７１，７３はスライダ８０の縁部８１でもって塞いだ状態とする。これによって、ロックシャフト６１は、凹部７１，７３には嵌合せず、凹部７２だけに嵌合してロックされる。ロック機構６０Ｂは、ロックされる箇所を選択可能とした構成である。図９（Ａ）はロックシャフト６１が凹部７１だけに嵌合してロックされる構成、図９（Ｂ）はロックシャフト６１が凹部７３だけに嵌合してロックされる構成である。
【実施例２】
【００４３】
図１０は本発明の実施例２になるレシート発行プリンタ装置３０Ｃを示す。このプリンタ装置３０Ｃは、前記のレシート発行プリンタ装置３０における引っ張りコイルばね６４Ｘ１，６４Ｘ２に代えて、引っ張りコイルばね９０を設けた構成である。引っ張りコイルばね９０は、ロックシャフト６１と本体３１の側板３３Ｘ１に形成してある孔９１との間に掛けてある。孔９１の位置は、ピン部材５５Ｘ１を通るＹ１−Ｙ２線ＹＬよりもＺ１側であって、回動するチルトアーム部材５１と干渉しない位置である。
【００４４】
この引っ張りコイルばね９０は、ロックシャフト６１を凹部６２Ｘ１、６３Ｘ１に嵌合させるように付勢すると共に、ロックシャフト６１を介して腕部材５１を図１０中反時計方向に付勢する。チルトアーム材５１が付勢されていることによって、位置Ｐ１に位置するサーマルプリンタユニット４０を位置Ｐ２に移動させる操作を小さい操作力で行うことが可能となる。
【００４５】
また、本発明は、プリンタユニットがサーマルプリンタ以外の種類のプリンタである場合にも適用が可能である。
【図面の簡単な説明】
【００４６】
【図１】従来のレシート発行プリンタ装置のロック機構を示す図である。
【図２】本発明の実施例１になるレシート発行プリンタ装置を示す斜視図である。
【図３】図２（Ａ）に示すレシート発行プリンタ装置を示す側面図である。
【図４】図２（Ｂ）に示すレシート発行プリンタ装置を示す側面図である。
【図５】レシート発行プリンタ装置が図２（Ａ）に示す状態にあるときのロック機構を示す図である。
【図６】レシート発行プリンタ装置が図２（Ｂ）に示す状態にあるときのロック機構を示す図である。
【図７】第１の変形例になるロック機構を示す図である。
【図８】第２の変形例になるロック機構を示す図である。
【図９】スライダを移動させたときのロック機構の状態を示す図である。
【図１０】本発明の実施例２になるレシート発行プリンタ装置を示す斜視図である。
【符号の説明】
【００４７】
１  ロール
３０、３０Ｃ  レシート発行プリンタ装置
３１  本体
３３Ｘ１，３３Ｘ２  側板
４０  サーマルプリンタユニット
４１  本体
４２  ユニット部
５０  支持機構
５１  チルトアーム部材
５２  横架部
５３Ｘ１，５３Ｘ２  腕部
５５Ｘ１、５５Ｘ２  ピン部材
５３Ｘ１ａ、５３Ｘ２ａ  長孔
５３Ｘ１ｂ、５３Ｘ２ｂ  ラグ
６０、６０Ａ、６０Ｂ  ロック機構
６１  ロックシャフト
６２Ｘ１，６２Ｘ２、６３Ｘ１，６３Ｘ２  凹部
６４Ｘ１，６４Ｘ２  引っ張りコイルばね
６５Ｘ１，６５Ｘ２  ノブ
６６Ｘ１，６６Ｘ２  受け部
６７Ｘ１，６７Ｘ２  ストッパ部
６８Ｘ１，６８Ｘ２  円弧部
８０  スライダ
９０  引っ張りコイルばね
Ｐ１  稼動位置
Ｐ２  ジャム処理作業位置
【図１】
2009066978.tif 000003
【図２】
2009066978.tif 000004
【図３】
2009066978.tif 000005
【図４】
2009066978.tif 000006
【図５】
2009066978.tif 000007
【図６】
2009066978.tif 000008
【図７】
2009066978.tif 000009
【図８】
2009066978.tif 000010
【図９】
2009066978.tif 000011
【図１０】
2009066978.tif 000012